(57)【要約】  本発明の実施形態はタッチスクリーン端末インターフェースでサスペンションタイプグローバルボタンを実現する方法を開示し、該方法は、タッチスクリーン端末はグローバルボタンに対するユーザのジェスチャー操作を判定するステップと、ジェスチャー操作の判定結果が第１ジェスチャー操作である場合、第１ジェスチャー操作でグローバルボタンを移動する指令を実行し、操作指令の実行結果を表示するステップと、を含む。本発明の実施形態は同時にタッチスクリーン端末インターフェースでサスペンションタイプグローバルボタンを実現するシステムを更に開示し、本発明の実施形態によるタッチスクリーン端末インターフェースでサスペンションタイプグローバルボタンを実現する方法及びシステムを採用して、スクリーンの有効表示面積を拡大し、ユーザの体験を向上させる。
2015537314.tif 000002
【特許請求の範囲】
【請求項１】
タッチスクリーン端末インターフェースでサスペンションタイプグローバルボタンを実現する方法であって、前記方法は、
タッチスクリーン端末はグローバルボタンに対するユーザのジェスチャー操作を判定するステップと、
前記ジェスチャー操作の判定結果が第１ジェスチャー操作である場合、前記第１ジェスチャー操作で前記グローバルボタンを移動する指令を実行し、操作指令の実行結果を表示するステップと、を含む
タッチスクリーン端末インターフェースでサスペンションタイプグローバルボタンを実現する方法。
【請求項２】
前記グローバルボタンを移動する指令を実行するステップは、
前記グローバルボタンの中心点により位置座標を確定するとともに、該位置座標を記憶するステップと、
位置座標点で前記グローバルボタンを表示するステップと、を含む
請求項１に記載の方法。
【請求項３】
前記方法は、
ジェスチャー操作の判定結果が第２ジェスチャー操作である場合、前記第２ジェスチャー操作で１つの機能の指令を実行するステップと、
前記ジェスチャー操作の判定結果が第３ジェスチャー操作である場合、前記第３ジェスチャー操作でより多くの機能オプションを表示する指令を実行するステップと、を更に含む
請求項１に記載の方法。
【請求項４】
前記ジェスチャー操作は、クリックジェスチャー操作、長押しジェスチャー操作、スライドジェスチャー操作を含む
請求項１、２又は３に記載の方法。
【請求項５】
タッチスクリーン端末インターフェースでサスペンションタイプグローバルボタンを実現するシステムであって、
前記システムは、ジェスチャー判定ユニット、実行ユニット及び表示ユニットを含み、
前記ジェスチャー判定ユニットは、グローバルボタンに対するユーザのジェスチャー操作を判定するとともに、前記ジェスチャー操作の判定結果が第１ジェスチャー操作である場合、判定結果を実行ユニットに送信するように構成され、
前記実行ユニットは、前記ジェスチャー判定ユニットによる判定結果が前記第１ジェスチャー操作である場合、前記グローバルボタンを移動する指令を実行するように構成され、
前記表示ユニットは、前記グローバルボタンを移動する指令を実行する実行結果を表示するように構成される
タッチスクリーン端末インターフェースでサスペンションタイプグローバルボタンを実現するシステム。
【請求項６】
前記ジェスチャー判定ユニットは、更に、ジェスチャー操作の判定結果が第２ジェスチャー操作である場合、判定結果を前記実行ユニットに送信するように構成され、
前記実行ユニットは、更に、前記ジェスチャー判定ユニットによる判定結果が前記第２ジェスチャー操作である場合、１つの機能の指令を実行するように構成され、
前記表示ユニットは、更に、１つの機能を実行する実行結果を表示するように構成される
請求項５に記載のシステム。
【請求項７】
前記ジェスチャー判定ユニットは、更に、ジェスチャー操作の判定結果が第３ジェスチャー操作である場合、判定結果を前記実行ユニットに送信するように構成され、
前記実行ユニットは、更に、前記ジェスチャー判定ユニットによる判定結果が前記第３ジェスチャー操作である場合、より多くの機能オプションを表示する指令を実行するように構成され、
前記表示ユニットは、更に、より多くの機能オプションを実行する実行結果を表示するように構成される
請求項６に記載のシステム。
【請求項８】
前記システムは更に、座標取得ユニットと記憶ユニットを含み、
前記座標取得ユニットは、前記グローバルボタンの中心点の位置座標を取得するように構成され、
前記記憶ユニットは、該位置座標を記憶するように構成される
請求項５に記載のシステム。
【発明の詳細な説明】
【技術分野】
【０００１】
本発明は移動端末分野に関し、具体的にタッチスクリーン端末インターフェースでサスペンションタイプグローバルボタンを実現する方法及びシステムに関する。
【背景技術】
【０００２】
電子技術の発展につれて、手持ちタッチスクリーン端末の操作体験、様式及びスクリーンサイズに対して人々は、より高い需要を持っている。大部分の手持ちタッチスクリーン端末の操作インターフェースにはいずれも幾つかのシステムレベルの操作制御ボタン、例えば前画面に戻す（Ｂａｃｋ）キー、デスクトップに戻る（Ｈｏｍｅ）キー、メニュー（Ｍｅｎｕ）キーなどを設置することにより、プログラム内またはプログラム間の転換を満たす。
【０００３】
現在、手持ちタッチスクリーン端末でのシステムレベルの操作空間は物理的なボタン形態、又はソフトウェア形態という２種の実現形態を有する。物理的なボタン形態は端末で物理的なボタンが設置され、欠点は、端末の制限されたサイズ範囲内に物理的なハードウェアを増加し、スクリーンのサイズを減少し、ハードウェアのコストを増加することであり、ソフトウェア形態はソフトウェアの実現形態でスクリーンに固定のソフトキー操作エリアを設置し、欠点は、スクリーンの位置を占用するとともに、スクリーンの有効表示面積を減少することである。
【発明の概要】
【発明が解決しようとする課題】
【０００４】
上記事情に鑑みて、本発明の実施形態は、タッチスクリーンの有効表示面積を拡大して、ユーザの体験を向上させることができるタッチスクリーン端末インターフェースでサスペンションタイプグローバルボタンを実現する方法及びシステムを提供することを主な目的とする。
【課題を解決するための手段】
【０００５】
上記目的を実現するために、本発明の実施形態の技術的解決手段は以下のとおりに実現する。
【０００６】
本発明の実施形態はタッチスクリーン端末インターフェースでサスペンションタイプグローバルボタンを実現する方法を提供し、前記方法は、
タッチスクリーン端末はグローバルボタンに対するユーザのジェスチャー操作を判定するステップと、
前記ジェスチャー操作の判定結果が第１ジェスチャー操作である場合、前記第１ジェスチャー操作で前記グローバルボタンを移動する指令を実行し、操作指令の実行結果を表示するステップと、を含む。
【０００７】
好ましくは、前記グローバルボタンを移動する指令を実行するステップは、
前記グローバルボタンの中心点により位置座標を確定するとともに、該位置座標を記憶するステップと、
位置座標点で前記グローバルボタンを表示するステップと、を含む。
【０００８】
好ましくは、前記方法は、
ジェスチャー操作の判定結果が第２ジェスチャー操作である場合、前記第２ジェスチャー操作で１つの機能の指令を実行するステップと、
前記ジェスチャー操作の判定結果が第３ジェスチャー操作である場合、前記第３ジェスチャー操作でより多くの機能オプションを表示する指令を実行するステップと、を更に含む。
【０００９】
好ましくは、前記ジェスチャー操作は、クリックジェスチャー操作、長押しジェスチャー操作、スライドジェスチャー操作を含む。
【００１０】
本発明の実施形態はタッチスクリーン端末インターフェースでサスペンションタイプグローバルボタンを実現するシステムを更に提供し、前記システムは、ジェスチャー判定ユニット、実行ユニット及び表示ユニットを含み、
前記ジェスチャー判定ユニットは、グローバルボタンに対するユーザのジェスチャー操作を判定するとともに、前記ジェスチャー操作の判定結果が第１ジェスチャー操作である場合、判定結果を実行ユニットに送信するように構成され、
前記実行ユニットは、前記ジェスチャー判定ユニットによる判定結果が前記第１ジェスチャー操作である場合、前記グローバルボタンを移動する指令を実行するように構成され、
前記表示ユニットは、前記グローバルボタンを移動する指令を実行する実行結果を表示するように構成される。
【００１１】
好ましくは、前記ジェスチャー判定ユニットは、更にジェスチャー操作の判定結果が第２ジェスチャー操作である場合、判定結果を前記実行ユニットに送信するように構成され、
前記実行ユニットは、更に、前記ジェスチャー判定ユニットによる判定結果が前記第２ジェスチャー操作である場合、１つの機能の指令を実行するように構成され、
前記表示ユニットは、更に、１つの機能を実行する実行結果を表示するように構成される。
【００１２】
好ましくは、前記ジェスチャー判定ユニットは、更に、ジェスチャー操作の判定結果が第３ジェスチャー操作である場合、判定結果を前記実行ユニットに送信するように構成され、
前記実行ユニットは、更に、前記ジェスチャー判定ユニットによる判定結果が前記第３ジェスチャー操作である場合、より多くの機能オプションを表示する指令を実行するように構成され、
前記表示ユニットは、更に、より多くの機能オプションを実行する実行結果を表示するように構成される。
【００１３】
好ましくは、前記システムは更に、座標取得ユニットと記憶ユニットを含み、
前記座標取得ユニットは、前記グローバルボタンの中心点の位置座標を取得するように構成され、
前記記憶ユニットは、該位置座標を記憶するように構成される。
【００１４】
本発明の実施形態が提供するタッチスクリーン端末インターフェースでサスペンションタイプグローバルボタンを実現する方法及びシステムは、タッチスクリーン端末がユーザのジェスチャー操作によりユーザが選定した操作指令を確定し、ジェスチャー操作の判定結果が第１ジェスチャー操作である場合、第１ジェスチャーでグローバルボタンを移動する指令を実行し、操作指令の実行結果を表示する。本発明の実施形態は、ユーザの多種のジェスチャー操作によりユーザの選定操作に対応する操作指令を確定し、グローバルボタンに複数の機能が搭載され、従来の技術での物理的なボタンを代替し、また、ユーザのジェスチャー操作によりグローバルボタンを移動する指令を実行することができ、グローバルボタンをタッチスクリーン端末インターフェースにサスペンションすることができ、且つユーザの指令に応じて位置を任意に移動することができ、固定のソフトキー操作エリアを代替し、且つスクリーンの固定位置を占用しなく、スクリーンの有効表示面積を拡大し、ユーザの体験を向上させる。
【図面の簡単な説明】
【００１５】
【図１】図１は本発明の第１実施形態によるタッチスクリーン端末インターフェースでサスペンションタイプグローバルボタンを実現する方法のフローチャートである。
【図２】図２は本発明の第１実施形態によるタッチスクリーン端末インターフェースでサスペンションタイプグローバルボタンを実現するシステムの構造の構成を示す図である。
【図３】図３は本発明の第２実施形態によるタッチ端末インターフェースでサスペンションタイプグローバルボタンを実現する方法のフローチャートである。
【図４】図４は本発明の第３実施形態における多くの機能オプションを表示する指令を実行した後の表示内容模式図である。
【図５】図５は本発明の第４実施形態におけるグローバルボタンを移動する指令を実行した後の表示内容模式図である。
【発明を実施するための形態】
【００１６】
以下、図面及び具体的な実施形態を参照しながら本発明の実施形態を更に詳しく説明する。
【００１７】
図１は本発明の第１実施形態によるタッチスクリーン端末インターフェースでサスペンションタイプグローバルボタンを実現する方法のフローチャートであり、図１に示すように、以下のステップを含む。
【００１８】
ステップ１１において、タッチスクリーン端末はグローバルボタンに対するユーザのジェスチャー操作を判定する。
【００１９】
ここで、タッチスクリーン端末はユーザのスクリーンにタッチする時間、及びスライド動作が存在するかどうかにより、グローバルボタンに対するユーザのジェスチャー操作を判断する。例えば、ユーザのスクリーンにタッチする時間が短く、且つスライド動作が存在しないと、このジェスチャー操作は第１ジェスチャー操作と定義されることができ、クリックジェスチャー操作と称することができる。ユーザのスクリーンにタッチする時間が長く、且つスライド動作が存在しないと、このジェスチャー操作は第２ジェスチャー操作と定義されることができ、長押しジェスチャー操作と称することができる。ユーザのスクリーンにタッチする時間が長く、且つスライド動作が存在すると、このジェスチャー操作が第３ジェスチャー操作と定義されることができ、スライドジェスチャー操作などと称することができる。
【００２０】
ステップ１２において、ジェスチャー操作の判定結果が第１ジェスチャー操作である場合、第１ジェスチャーでグローバルボタンを移動する指令を実行し、操作指令の実行結果を表示する。
【００２１】
ここで、前記ジェスチャー操作の判定結果は、第１ジェスチャー操作、第２ジェスチャー操作及び第３ジェスチャー操作を含み、前記ジェスチャー操作はクリックジェスチャー操作、又は長押しジェスチャー操作、又はスライドジェスチャー操作で、ユーザの選定操作が対応する操作指令を実行することができる。
【００２２】
前記操作指令は、１つの機能の指令の実行、又はより多くの機能オプションを表示する指令の実行、又はグローバルボタンを移動する指令の実行を含み、タッチスクリーン端末は最終的に操作指令の実行結果を表示し、１つの機能を実行するインターフェースの表示、又はより多くの機能オプションの表示、又はグローバルボタンの任意の位置での表示を含む。
【００２３】
例えば、ジェスチャー操作の判定結果が第１ジェスチャー操作である場合、スライドジェスチャー操作であってよく、第１ジェスチャー操作によりグローバルボタンを移動する指令を実行することができ、相応的に、タッチスクリーン端末がグローバルボタンを移動する指令を実行した後、グローバルボタンを新たな位置に表示する。
【００２４】
例えば、ジェスチャー操作の判定結果は第２ジェスチャー操作である場合、第２ジェスチャーによりグローバルボタンを操作し、タッチスクリーン端末が１つの機能の指令を実行し、この指令は前のインターフェースに戻す指令であってよく、デスクトップに戻す指令であってよく、最近に使用するプログラムを開ける指令などであってもよい。相応的に、タッチスクリーン端末が１つの機能の指令を実行した後対応の機能インターフェースを表示し、前のインターフェースに戻す指令を実行した後、タッチスクリーン端末が前のインターフェースを表示し、デスクトップに戻す指令を実行した後、タッチスクリーン端末はデスクトップを表示し、最近に使用したプログラムを開ける指令を実行した後、タッチスクリーン端末は最近に使用したプログラムインターフェースなどを表示する。
【００２５】
例えば、ジェスチャー操作の判定結果が第３ジェスチャー操作である場合、第３ジェスチャー操作により、より多くの機能オプションを表示する指令を実行し、この指令はメニューオプションを表示する指令などであってよく、相応的に、タッチスクリーン端末はより多くの機能オプションを表示する指令を実行した後、メニューオプションを表示する。
【００２６】
前記グローバルボタンを移動する指令を実行することは、グローバルボタンの中心点の新たな位置により座標点を確定し、又はグローバルボタンの中心点の移動軌跡により新たな座標点を確定し、且つ新たな座標点を記憶することによって実現することができる。
【００２７】
実際な応用において、グローバルボタンの表示は多種の形態を有してよく、例えば、グローバルボタンの形状は正方形、三角形、円形などであってよい。グローバルボタンの大きさはタッチスクリーンのサイズによりカスタム設計することができ、グローバルボタンの様式スタイルはプッシュボタンの色とパターンを含み、タッチスクリーンで表示された背景パターンにより設定されることができ、グローバルボタンも不透明、半透明又は透明などの形態に設定されてもよく、又は使用には不透明状態に表示し、所定の期間に使用しないとき半透明又は透明状態などに表示する。
【００２８】
上記方法を実現するために、本発明の第１実施形態は更にタッチスクリーン端末インターフェースでサスペンションタイプグローバルボタンを実現するシステムを提供し、図２に示すように、ジェスチャー判定ユニット２１、実行ユニット２２及び表示ユニット２３を含み、
前記ジェスチャー判定ユニット２１は、グローバルボタンに対するユーザのジェスチャー操作を判定するとともに、ジェスチャー操作の判定結果が第１ジェスチャー操作である場合、判定結果を実行ユニット２２に送信するように構成され、
前記実行ユニット２２は、ジェスチャー判定ユニット２１による判定結果が第１ジェスチャー操作である場合、グローバルボタンを移動する操作指令を実行するように構成され、
前記表示ユニット２３は、グローバルボタンを移動する指令を実行する実行結果を表示するように構成される。
【００２９】
更に、前記ジェスチャー判定ユニット２１は、更に、ジェスチャー操作の判定結果が第２ジェスチャー操作である場合、判定結果を実行ユニット２２に送信するように構成され、
相応的に、前記実行ユニット２２は、更に、ジェスチャー判定ユニット２１による判定結果が第２ジェスチャー操作である場合、１つの機能の指令を実行するように構成され、
相応的に、前記表示ユニット２３は、更に、１つの機能を実行する実行結果を表示するように構成される。
【００３０】
更に、前記ジェスチャー判定ユニット２１は、更に、ジェスチャー操作の判定結果が第３ジェスチャー操作である場合、判定結果を実行ユニット２２に送信するように構成され、
相応的に、前記実行ユニット２２は、更に、ジェスチャー判定ユニット２１による判定結果が第３ジェスチャー操作である場合、より多くの機能オプションを表示する指令を実行するように構成され、
相応的に、前記表示ユニット２３は、更に、より多くの機能オプションを実行する実行結果を表示するように構成される。
【００３１】
更に、該システムは、更に、座標取得ユニット２４及び記憶ユニット２５を含み、
前記座標取得ユニット２４は、グローバルボタンの中心点の位置座標を取得するように構成され、
前記記憶ユニット２５は、取得した位置座標を記憶するように構成される。
【００３２】
以下の実施形態はいずれもプッシュボタンの形状が円形で、色が黒、白、灰であるものを例とし、図３〜図５を参照しながら本発明の実施形態のタッチスクリーンインターフェースでサスペンションタイプグローバルボタンを実現する具体的な実施形態を更に説明する。
【００３３】
図３は本発明の第２実施形態によるタッチ端末インターフェースでサスペンションタイプグローバルボタンを実現する方法のフローチャートであり、図３に示すように、以下のステップを含む。
【００３４】
ステップ３０１において、タッチスクリーン端末はグローバルボタンに対するユーザのジェスチャー操作を判定する。
【００３５】
ここで、タッチスクリーン端末はユーザのスクリーンにタッチする時間、及びスライド動作が存在するかどうかにより、グローバルボタンに対するユーザのジェスチャー操作を判断する。例えば、ユーザのスクリーンにタッチする時間が短く、且つスライド動作が存在しないと、このジェスチャー操作は第１ジェスチャー操作と定義されることができ、クリックジェスチャー操作と称することができる。ユーザのスクリーンにタッチする時間が長く、且つスライド動作が存在しないと、このジェスチャー操作は第２ジェスチャー操作と定義されることができ、長押しジェスチャー操作と称することができる。ユーザのスクリーンにタッチする時間が長く、且つスライド動作が存在すると、このジェスチャー操作が第３ジェスチャー操作と定義されることができ、スライドジェスチャー操作などと称することができる。
【００３６】
本実施形態において、タッチスクリーン端末はグローバルボタンに対するユーザのジェスチャー操作の判定結果が第１ジェスチャー操作であることを判定する場合、ステップ３０２〜ステップ３０３を実行する。
【００３７】
タッチスクリーン端末はグローバルボタンに対するユーザのジェスチャー操作の判定結果が第２ジェスチャー操作であることを判定する場合、ステップ３０４〜ステップ３０５を実行する。
【００３８】
タッチスクリーン端末はグローバルボタンに対するユーザのジェスチャー操作の判定結果が第３ジェスチャー操作であることを判定する場合、ステップ３０６〜ステップ３０７を実行する。
【００３９】
ステップ３０２〜ステップ３０３において、タッチスクリーン端末はグローバルボタンを移動する指令を実行するとともに、グローバルボタンを新たな位置に表示する。
【００４０】
ここで、第１ジェスチャーによりグローバルボタンを操作すると、スライドジェスチャー操作であってよく、タッチスクリーン端末はグローバルボタンを移動する指令を実行し、グローバルボタンの中心点の新たな位置により座標点座標を確定するとともに、新たな位置の座標点座標を記憶し、相応的に、タッチスクリーン端末はグローバルボタンを移動する指令を実行した後、新たな位置部にグローバルボタンを表示する。
【００４１】
ステップ３０４〜ステップ３０５、タッチスクリーン端末は１つの機能の指令を実行し、且つ１つの機能のインターフェースを表示し、現在の処理プロセスを終了する。
【００４２】
ここで、第２ジェスチャーによりグローバルボタンを操作し、タッチスクリーン端末が１つの機能の指令を実行し、この指令は前のインターフェースに戻す指令であってもよく、デスクトップに戻す指令であってもよく、最近に使用するプログラムを開ける指令などであってもよい。該機能はソフトウェア設計によりタッチスクリーン端末に予め記憶されてもよく、ユーザにより自己設定してもよい。相応的に、相応的に、タッチスクリーン端末が１つの機能の指令を実行した後対応の機能インターフェースを表示し、前のインターフェースに戻す指令を実行した後、タッチスクリーン端末が前のインターフェースを表示し、デスクトップに戻す指令を実行した後、タッチスクリーン端末はデスクトップを表示し、最近に使用したプログラムを開ける指令を実行した後、タッチスクリーン端末は最近に使用したプログラムインターフェースなどを表示する。
【００４３】
ステップ３０６〜ステップ３０７において、タッチスクリーン端末はより多くの機能オプションを表示する指令を実行するとともに、より多くの機能オプションを表示し、現在の処理プロセスを終了する。
【００４４】
ここで、第３ジェスチャーによりグローバルボタンを操作し、タッチスクリーン端末はより多くの機能オプションを表示する指令を実行し、この指令は、メニューオプションを表示する指令であってよく、表示したより多くの機能オプションは単一のものであってもよく、多段機能オプションを含むものであってよい。図４に示すように、図４は本発明の第３実施形態による多くの機能オプションを表示する指令を実行した後の表示内容模式図である。
【００４５】
図４（ａ）は、より多くの機能オプションを表示する指令を実行した後に単一のより多くの機能オプションを表示する表示内容模式図であり、図４（ａ）に示すように、第３ジェスチャーによりグローバルボタンを操作した後、タッチスクリーン端末はより多くの機能オプションを表示し、機能オプションは単一の機能オプションであり、例えばデスクトップに戻す機能、又は前のインターフェースに戻す機能、又は１つの機能を実行するものなどであってよい。第３ジェスチャーにより、より多くの機能オプションにおける１つの機能オプションを操作すれば、該機能を実行することができる。
【００４６】
図４（ｂ）は、より多くの機能オプションを表示する指令を実行した後に多段機能オプションを表示する表示内容模式図であり、図４（ｂ）に示すように、第３ジェスチャーによりグローバルボタンを操作した後、タッチスクリーン端末はより多くの機能オプションを表示し、そのなかの機能オプションは多段機能オプションであり、例えば情報、連絡先、セットアップ等の機能、又はゲーム、チャットツール、マルチメディアなどの応用があり、第３ジェスチャーにより、より多くの機能オプションにおける１つの機能オプションを操作することにより、次段機能オプションを表示することができる。図４（ｃ）に示すように、第３ジェスチャーにより、より多くの機能オプションにおける１つの機能オプションを操作することにより、メニュー形式で次段の機能オプションを表示し、又は他の表示形態で次段の機能オプションを表示する。
【００４７】
図５は、本発明の第４実施形態におけるグローバルボタンを移動する指令を実行した後の表示内容模式図であり、図５に示すように、グローバルボタンの開始位置は位置ａにあり、位置ａの座標点の座標が（Ｘ１、Ｙ１）であり、第１ジェスチャーによりグローバルボタンを操作し、即ちスライドジェスチャーにより軌跡ｂに沿ってグローバルボタンを操作することにより、グローバルボタンを位置ｃに移動し、タッチスクリーン端末はグローバルボタンの中心点の新たな位置により座標点座標を確定し、位置ｃの座標点座標が（Ｘ２，Ｙ２）であると、該座標点座標を記憶し、且つ位置ｃ部にグローバルボタンを表示する。
【００４８】
以上は、本発明の最適的な実施形態に過ぎず、本発明の保護範囲を制限するものではない。本発明の精神と範囲以内に、いかなる改修、同等入れ替わり、改良等が、本発明の保護範囲以内に含まれるべきである。
【産業上の利用可能性】
【００４９】
本発明の実施形態はユーザの多種のジェスチャー操作によりユーザの選定操作が対応する操作指令を確定し、グローバルボタンに複数の機能が搭載され、従来の技術における物理的なボタンを代替し、また、ユーザのジェスチャー操作によりグローバルボタンを移動する指令を実行することができ、それによりグローバルボタンをタッチスクリーン端末インターフェースでサスペンションすることができ、且つユーザの指令に応じて位置を任意に移動することができ、固定のソフトキー操作エリアを代替し、且つスクリーンの固定位置を占用せず、スクリーンの有効表示面積を拡大し、ユーザの体験を向上させる。
【図１】
2015537314.tif 000003
【図２】
2015537314.tif 000004
【図３】
2015537314.tif 000005
【図４（ａ）】
2015537314.tif 000006
【図４（ｂ）】
2015537314.tif 000007
【図４（ｃ）】
2015537314.tif 000008
【図５】
2015537314.tif 000009
【国際調査報告】
2015537314.tif 000010
2015537314.tif 000011
2015537314.tif 000012
2015537314.tif 000013
2015537314.tif 000014
2015537314.tif 000015